(57)【要約】【課題】吸引風の低下が少なく集塵手段の塵埃捕集量を増加させることができる電気掃除機を提供する。【解決手段】集塵室１３と、前記集塵室１３と連通する電動送風機１４を収納する電動送風機室１５と、前記集塵室１３に着脱自在に装着されるバスケット２３と、前記バスケット２３に着脱自在に装着されると共に前記電動送風機１４で吸引される塵埃を捕集する集塵手段１２とを備え、前記バスケット２３底部に前記集塵手段１２が密着するのを防止するリブ２４を設け、且つ前記リブ２４を前記電動送風機１４側に向かって吸気風が流れるように傾斜させたもので、バスケット２３の底部と集塵手段１２の底部が密着しないので、集塵手段１２の底部での通気風の減少が防止され、しかもリブ２４の傾斜により吸引風の流れがスムーズになり、吸引風の低下を減少させ吸引効率を良化させることができる。【選択図】図１
2006006611.tif 000002
【特許請求の範囲】
【請求項１】
集塵室と、前記集塵室と連通する電動送風機を収納する電動送風機室と、前記集塵室に着脱自在に装着されるバスケットと、前記バスケットに着脱自在に装着されると共に前記電動送風機で吸引される塵埃を捕集する集塵手段とを備え、前記バスケット底部に前記集塵手段が密着するのを防止するリブを設け、且つ前記リブを前記電動送風機側に向かって吸気風が流れるように傾斜させたことを特徴とする電気掃除機。
【請求項２】
リブを複数設けたことを特徴とする請求項１に記載の電気掃除機。
【請求項３】
リブの上部に吸気風を通過させるための切り欠きを設けたことを特徴とする請求項１又は２に記載の電気掃除機。
【請求項４】
リブに切り欠きを複数設けたことを特徴とする請求項３に記載の電気掃除機。
【請求項５】
互いに隣り合うリブに設けた切り欠きの位置が互い違いになるようしたことを特徴とする請求項３又は４に記載の電気掃除機。
【発明の詳細な説明】
【技術分野】
【０００１】
本発明は、紙袋に塵埃が溜まっても吸塵力の低下を防止できる電気掃除機に関するものである。
【背景技術】
【０００２】
従来のこの種の電気掃除機について図９を用いて説明する。
【０００３】
図において、従来の電気掃除機は、集塵室１及び電動送風機２を収納する電動送風機室３を有する掃除機本体５と、前記集塵室１の後方に回動自在に軸支されて集塵室１上面を開閉自在に覆う集塵蓋６と、塵埃を捕集する集塵手段である集塵袋７を装着し前記集塵室１に着脱自在に配設されるバスケット８と、バスケット８後方上部に回動自在に軸支されたハンドル９とを備えている(例えば、特許文献１参照)。
【特許文献１】特開２０００−１０２５００号公報
【発明の開示】
【発明が解決しようとする課題】
【０００４】
しかしながら、上記従来の電気掃除機の構成では、バスケット８の形状が集塵室１の内面形状に沿った形状をしており、開ききった集塵袋７がバスケット８内面に密着し、集塵袋７を通過した吸気風が電動送風機２へ流れるまでの空間が少なくなるため、集塵袋７内部に溜まった細塵等で集塵袋７が目詰りしてくると、吸引力が著しく低下してくるという課題があった。
【０００５】
また、集塵袋７は、一般に紙等の材質で形成されているので、その集塵袋７の破裂を防止するために、集塵室１内部または、集塵蓋６内面からリブ等で集塵袋７を押さえ込んで開かせる必要があり、集塵袋７の持つ集塵容量を完全に活用することができなかった。
【０００６】
本発明は上記課題を解決するもので、集塵手段の塵埃捕集量を増加させると共に、吸塵力低下の少ない使い勝手の良い電気掃除機を提供することを目的としている。
【課題を解決するための手段】
【０００７】
上記従来の課題を解決するために、本発明の電気掃除機は、集塵室と、前記集塵室と連通する電動送風機を収納する電動送風機室と、前記集塵室に着脱自在に装着されるバスケットと、前記バスケットに着脱自在に装着されると共に前記電動送風機で吸引される塵埃を捕集する集塵手段とを備え、前記バスケット底部に前記集塵手段が密着するのを防止するリブを設け、且つ前記リブを前記電動送風機側に向かって吸気風が流れるように傾斜させたもので、リブによりバスケット底部と集塵手段の底部が密着しないので、集塵手段の底部での通気風の減少が防止され、しかもリブが傾斜しているので電動送風機に吸引される吸気風の流れがスムーズになり、吸引風の低下を減少させ吸引効率を良化させることができる。
【発明の効果】
【０００８】
本発明の電気掃除機は、集塵手段による塵埃捕集量が増加すると共に、吸塵力の低下が少なく、使い勝手の良いものである。
【発明を実施するための最良の形態】
【０００９】
第１の発明は、集塵室と、前記集塵室と連通する電動送風機を収納する電動送風機室と、前記集塵室に着脱自在に装着されるバスケットと、前記バスケットに着脱自在に装着されると共に前記電動送風機で吸引される塵埃を捕集する集塵手段とを備え、前記バスケット底部に前記集塵手段が密着するのを防止するリブを設け、且つ前記リブを前記電動送風機側に向かって吸気風が流れるように傾斜させたもので、リブによりバスケット底部と集塵手段の底部が密着しないので、集塵手段の底部での通気風の減少が防止され、しかもリブが傾斜しているので電動送風機に吸引される吸気風の流れがスムーズになり、吸引風の低下を減少させ吸引効率を良化させることができる。
【００１０】
第２の発明は、特に、第１の発明のリブを複数設けたもので、紙などから形成された集塵手段を用いた場合でも、その集塵手段の底部が複数のリブで受けられるので、破れにくくなるものである。
【００１１】
第３の発明は、特に、第１又は第２の発明のリブの上部に吸気風を通過させるための切り欠きを設けたもので、集塵手段の側面を通過した吸引風もリブに設けた切り欠きを経て電動送風機に吸引されるので、空気の通過抵抗を低減し、吸引効率を良化させることができる。
【００１２】
第４の発明は、特に、第３の発明のリブに切り欠きを複数設けたもので、集塵手段の側面を通過した吸引風がリブに設けた切り欠きを経て電動送風機に吸引される際の空気の通過抵抗がより低減され、吸引効率を一層良化させることができる。
【００１３】
第５の発明は、特に、第３又は第４の発明の互いに隣り合うリブに設けた切り欠きの位置が互い違いになるようしたもので、リブの切り欠きから抜け出た吸気風が隣り合うリブに阻害されることなく流れることができ、吸引効率をさらに良化させることができる。
【００１４】
以下、本発明の実施の形態について、図面を参照しながら説明する。なお、この実施の形態によりこの発明が限定されるものではない。
【００１５】
（実施の形態１）
本発明の第１の実施の形態について、図１〜図８を用いて説明する。
【００１６】
図１〜５において、掃除機本体１０は、外郭を形成する上方開口した下カバー１１と、下カバー１１の前方に配され塵埃を捕集する集塵手段１２を収納する集塵室１３と、下カバー１１の後方に配され吸引風を発生する電動送風機１４を収納する電動送風機室１５を備え、前記電動送風機室１５の上方は上カバー１６で覆われ、また前記集塵室１３の上方は、前記上カバー１６に回動自在に軸支され開閉自在の蓋体１８によって覆い被されるようになっている。
【００１７】
集塵手段１２は、硬質材で形成された固定部１２ａと、紙や布等の軟質材で形成され、通風性を有し、かつ袋状に形成された集塵部１２ｂから構成されている。前記集塵室１３の前方には逆止弁２２を保持した前壁２１が形成され、その集塵室１３側下方には断面が略Ｌ字状の保持リブ４５をコの字状に設けている。また、その上方には、バネ４６で付勢されると共に、回動自在に軸支された固定部押さえ４７が配設されており、これらは前記集塵手段１２を収納するための保持手段として構成されるものである。
【００１８】
その収納構成は、以下の通りである。
【００１９】
集塵手段１２は、装着部であるバスケット２３に装着され、その後バスケット２３ごと集塵室１３に装着され、集塵手段１２の固定部１２ａの上端枠に固定部押さえ４７を回動させて引っ掛けて保持すると共に、収納を行うものである。その際前記固定部１２ａは、逆止弁２２と密着した状態で保持され、塵埃を捕集する集塵手段１２と集塵室１３とのエアタイトが確立し、ゴミもれ対策が行えるようになっている。
【００２０】
図４に示すように、前記バスケット２３底部には、そのバスケット２３の底面と集塵部１２ｂの底面とが密着しないようにする為のリブ２４が、掃除機本体１０の長手方向に複数設けられ、しかも前記リブ２４は電動送風機１４側に向かって吸気風が流れるよう傾斜している（図４において、右肩上りに傾斜）。また、リブ２４の上部には、図４、５に示すように、集塵手段１２の側部からの吸引風を通過させるための切り欠き２５が設けられ、さらに互いに隣り合うリブ２４の切り欠き２５が互い違いになるよう配設されている。
【００２１】
以上の構成により、集塵手段１２の側部を通過した吸引風がリブ２４の切り欠き２５から隣り合うリブ２４間に流入すると共に、抜け出た吸気風が隣り合うリブ２４に阻害されることなく連通口２０に向かって流れることができ、吸引効率を良化させることができるものである。
【００２２】
また集塵部１２ｂが膨らんだ時、前記集塵部１２ｂの膨らみを略上方から所定以内に押さえる押さえ部材となる袋押さえ部材４４が蓋体１８内面に爪嵌合またはネジ（図示しない）により固定されている。
【００２３】
電動送風機１４は、クッション前４２及びクッション後１７を介して下カバー１１と上カバー１６とで狭持されている。１９は、集塵室１３と電動送風機室１５とを仕切る仕切壁で、下カバー１１及び蓋体１８に相対するように設けられており、この仕切壁１９同士の間にパッキン(図示せず)を介して空気のタイトを行い、気密性を確保している。
【００２４】
仕切壁１９に設けた連通口２０は、集塵室１３と電動送風機１４を連通するもので、格子状のリブが形成されている。連通口２０の集塵室１３側前方所謂集塵室１３内には、下カバー１１より立設し、収納された集塵手段１２の集塵部１２ｂ外面に臨んで、振動動作を与えるための振動板２９を有した除塵手段２８が設けられている。
【００２５】
振動板２９の集塵部１２ｂと接触する表面には、集塵部１２ｂが密着するのを防止するために、断面が略台形形状の凸部（図示せず）がほぼ均等に複数個設けられており、これにより、集塵部１２ｂの通気性を向上させるようにしている。この振動板２９は図示しないが集塵部１２ｂと接触する部分の中央を凹状に形成しして集塵手段の容量を最大限活用できるようにするとともに集塵部１２ｂと接触しない部分は平面状とすることもできる。
【００２６】
次に、除塵手段２８の構成及び動作の詳細を説明する。
【００２７】
図３、７、８において、除塵手段２８は、集塵室１３下方の下カバー１１下部内に格納され蓋カバー３０で固定されており、除塵手段２８の本体ケース３１からは、可動板３２より立設した中空円柱状のアーム３３が集塵室１３内へ突出しており、このアーム３３に格子形状をなす振動板２９の下部にある突起４８が挿入嵌合されている。振動板２９は、仕切壁１９の連通口２０に面する集塵部１２ｂの外面に臨んだ位置に配設しているため、集塵部１２ｂを通過して連通口２０から吸引される吸引風を遮らないように格子形状としている。また、アーム３３はリング状のゴム製ブッシング３４を介して本体ケース３１に固定されている。
【００２８】
本体ケース３１内には、電磁石３５、３６の吸引作用面と対向して平行に配置された磁石３７を先端部に固着した可動板３２が内蔵されており、可動板３２の磁石３７と反対側の一端はゴム製のスリーブ３８を介してネジ３９により、可動板３２が回動自在となるように本体ケース３１に固定されている。
【００２９】
振動制御回路（図示せず）によりスイッチ（図示せず）がＯＮされ、電磁石３５、３６にＡＣ１００Ｖ電源が通電されると、電磁石３５、３６に生じた磁界により先端部に磁石３７を固着した可動板３２が、ネジ３９で固定した一端を支点として、アーム３３がゴム製ブッシング３４を前後に撓ませながら矢印４０、４１方向へＡＣ１００Ｖ電源の電源周波数（５０Ｈｚまたは６０Ｈｚ）に応じた周期で振動する。その振動はアーム３３を介して振動板２９に伝えられ、振動板２９も同様に矢印４０、４１方向へ振動し、集塵手段１２の集塵部１２ｂの外面を振動させて内面に付着堆積した塵埃を振るい落とすものである。
【００３０】
以上のように、本実施の形態によれば、バスケット２３の底部に集塵手段１２が密着するのを防止するリブ２４を設け、且つリブ２４を電動送風機１４側に向かって吸気風が流れるように傾斜させたので、リブ２４によりバスケット２３の底部と集塵手段１２の底部が密着せず、集塵手段１２の底部での通気風の減少が防止され、しかもリブ２４が傾斜しているので電動送風機１４に吸引される吸気風の流れがスムーズになり、吸引風の低下を減少させ吸引効率を良化させることができる。
【００３１】
さらに、リブ２４を複数設けた事により、紙などから形成された集塵手段１２を用いた場合でも、その集塵手段１２の底部が複数のリブで受けられるので、破れにくくなるものである。
【００３２】
また、リブ２４の上部に吸気風を通過させるための切り欠き２５を設けた事により、集塵手段１２の側面を通過した吸引風も切り欠き２５を経て電動送風機１４に吸引されるので、空気の通過抵抗を低減し、吸引効率を良化させることができる。
【００３３】
また、リブ２４に切り欠き２５を複数設けたことにより、集塵手段１２の側面を通過した吸引風がリブ２４に設けた切り欠き２５を経て電動送風機１４に吸引される際の空気の通過抵抗がより低減され、吸引効率を一層良化させることができる。
【００３４】
また、互いに隣り合うリブ２４に設けた切り欠き２５の位置が互い違いになるようしたので、リブ２４の切り欠き２５から抜け出た吸気風が隣り合うリブ２４に阻害されることなく流れることができ、吸引効率をさらに良化させることができる。
【００３５】
また、集塵部１２ｂに付着した塵埃を取り除く除塵手段２８を配したことにより、集塵手段１２の集塵部１２ｂに付着し堆積した塵埃をはたき落とすことが可能となる。その結果、吸引風の低下を減少させ吸引効率を良化させることができる。
【００３６】
また、除塵手段２８を集塵室１３内部に設けたことにより、除塵手段２８の構成として複数の部品による動作の連動が不用となり、且つ集塵手段１２に除塵動作を直接与えるようにしているので、構成が簡素化され、部品数の削減並びに関係部品の低減による規制緩和で除塵手段２８の構成の多様化が実現できるようになる。
【００３７】
また、集塵室１３内部に設けた集塵手段１２の集塵部１２ｂに、除塵手段２８が動作を直接加えるようにしたので、主として塵埃が付着し堆積した部分に直接除塵動作を加えることになり効率的な除塵効果が得られるものとなる。
【００３８】
また、集塵室１３の内部に設けた集塵手段１２の集塵部１２ｂを軟質材で形成したことにより、除塵手段２８による除塵動作が軟質材で形成された集塵部１２ｂのみの動きで緩和され、硬質材で形成された固定部１２ａまでは前記動作が伝わらないので、逆止部２２と前記集塵手段１２の固定部１２ａとの密着部への動きの連動が無く、エアタイト性が向上し、ゴミ漏れ等が解消されるものとなる。
【００３９】
また、除塵手段２８を電動送風機室１５と集塵室１３を連通する連通口２０に近傍に、特に連通口２０に対向するように配設したので、吸引風が通過し塵埃の付着が多い集塵部１２ｂの除塵が可能となる。その結果、除塵手段２８における除塵効果の拡大が図れるものとなる。
【００４０】
また、除塵手段２８は、格子状に形成し通気性を持たせた構成としたことにより、吸引風に対する通風抵抗が低減でき、電気掃除機における吸い込み性能の劣化を防止することができる。
【産業上の利用可能性】
【００４１】
以上のように、本発明にかかる電気掃除機は、集塵手段による塵埃捕集量が増加すると共に、吸塵力の低下が少なく、使い勝手の良いもので、家庭用、業務用電気掃除機、電気集塵機などに広く適用できる。
【図面の簡単な説明】
【００４２】
【図１】本発明の実施の形態１における電気掃除機の掃除機本体の断面図
【図２】同掃除機本体の集塵室内部の分解斜視図
【図３】同集塵室内部の斜視図
【図４】同電気掃除機のバスケットの上面図
【図５】図４のＡ−Ａ断面図
【図６】図４のＢ−Ｂ断面図
【図７】同電気掃除機の除塵手段の分解斜視図
【図８】同除塵手段の下面図
【図９】従来の電気掃除機の掃除機本体の断面図
【符号の説明】
【００４３】
１２  集塵手段
１３  集塵室
１４  電動送風機
１５  電動送風機室
１８  蓋体
２３  バスケット
２４  リブ
２５  切り欠き
２８  除塵手段
２９  振動板
【図１】
2006006611.tif 000003
【図２】
2006006611.tif 000004
【図３】
2006006611.tif 000005
【図４】
2006006611.tif 000006
【図５】
2006006611.tif 000007
【図６】
2006006611.tif 000008
【図７】
2006006611.tif 000009
【図８】
2006006611.tif 000010
【図９】
2006006611.tif 000011